(57)【要約】【課題】簡単な構造で迅速な乾燥状態を得ることを可能とする補聴器用収納ケースを提供する。【解決手段】蓋部材１と、この蓋部材１と結合する本体部材２から成り、内部に載置された乾燥剤４により補聴器３に内蔵される電子回路の湿気を除去する補聴器用収納ケース１００の蓋部材１に設けられた凹部１０Ａにプロペラ等の送風手段１１を設置し、この送風手段１１に電源部１４から電源を供給する。この電源供給時間はタイマ１３により設定される。【選択図】図１
2008172680.tif 000002
【特許請求の範囲】
【請求項１】
蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記送風手段に電源を供給する電源手段と、
を備えて成ることを特徴とする補聴器用収納ケース。
【請求項２】
蓋部材と、この蓋部材と結合する本体部材から成り、内部に載置された乾燥剤により補聴器に内蔵される電子回路の湿気を除去する補聴器用収納ケースにおいて、
前記蓋部材の中央より端部側に設けられた凹部内に設置された送風手段と、
前記送風手段に電源を供給する電源手段と、
を備えて成ることを特徴とする補聴器用収納ケース。
【請求項３】
蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部内の斜め斜面に設置された送風手段と、
前記送風手段に電源を供給する電源手段と、
を備えて成ることを特徴とする補聴器用収納ケース。
【請求項４】
蓋部材と、この蓋部材と結合する本体部材から成り、内部に載置された乾燥剤により補聴器に内蔵される電子回路の湿気を除去する補聴器用収納ケースにおいて、
前記本体部材内に載置された乾燥剤の下部に設置された送風手段と、
前記送風手段に電源を供給する電源手段と、
を備えて成ることを特徴とする補聴器用収納ケース。
【請求項５】
蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記補聴器用収納ケース内部に設けられた紫外線発生手段と、
前記送風手段と紫外線発生手段に電源を供給する電源手段と、
を備えて成ることを特徴とする補聴器用収納ケース。
【請求項６】
蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記補聴器用収納ケース内部に設けられた加温手段と、
前記送風手段と加温手段に電源を供給する電源手段と、
を備えて成ることを特徴とする補聴器用収納ケース。
【請求項７】
前記電源手段はバッテリであることを特徴とする請求項１乃至６のいずれかに記載の補聴器用収納ケース。
【請求項８】
前記電源手段は商用電源からの電源であることを特徴とする請求項１乃至６のいずれかに記載の補聴器用収納ケース。
【請求項９】
前記電源を前記送風手段に供給する時間を予め設定された時間だけに限定するタイマ手段を備えることを特徴とする請求項１乃至８のいずれかに記載の補聴器用収納ケース。
【請求項１０】
前記送風手段は、プロペラであることを特徴とする請求項１乃至９のいずれかに記載の補聴器用収納ケース。
【発明の詳細な説明】
【技術分野】
【０００１】
本発明は補聴器用の収納ケースに関し、特に乾燥機能を改善した補聴器用収納ケースに関する。
【背景技術】
【０００２】
耳の不自由な人に外部からの音を電気的に増幅器で増幅して鼓膜に伝える補聴器は、単に音を増幅するだけでなく、利用者の音に対する感受性を考慮した特性の増幅器を内蔵する高度化されたデジタル補聴器が実用化されている。すなわち、利用者の聴覚は個々人で異なり、聞こえ難い周波数帯がそれぞれ異なっている。したがって、増幅器の増幅度の周波数特性もそれに合わせて聞こえ難い周波数帯の増幅度を上げるようにした補聴器が必要となり、実用化されている。
【０００３】
ところで、補聴器に内蔵されている増幅器のような電子回路は半導体回路、つまり集積回路で作成されており、半導体回路は温度や湿度等の環境条件に大きく左右されることが多い。半導体回路は、特に、湿気に電子回路特性が影響を受ける。補聴器の場合、利用者は１日中補聴器を装着しているため、耳の奥部体内からの湿気が補聴器内部に入り込んでしまう。
【０００４】
このように補聴器にとって湿気は大きな脅威であり、湿気を取り除いて乾燥させる必要がある。そこで、従来は、補聴器の使用が終わったときに、内部にシリカゲルのような乾燥剤を入れた収納ケースに収納、保存している。
【発明の開示】
【発明が解決しようとする課題】
【０００５】
上述のように、補聴器の電子回路を湿気から保護するために、従来は乾燥剤を入れた収納ケースに補聴器を収納して夜間保存している。
【０００６】
しかしながら、乾燥剤を入れた収納箱に補聴器を入れて乾燥させようとする従来のやり方では、短時間で乾燥作用を得ることはできない。就寝時間が８〜１０時間であればある程度の乾燥状態にもっていけるが、３〜４時間程度しか乾燥時間がないような場合には、充分な乾燥ができない。
【０００７】
このように従来の乾燥剤を入れた収納ケースに補聴器を収納して乾燥させる構造では迅速な乾燥状態を得ることができないという問題がある。
【０００８】
そこで、本発明の目的は、簡単な構造で迅速な乾燥状態を得ることを可能とする補聴器用収納ケースを提供するにある。
【課題を解決するための手段】
【０００９】
前述の課題を解決するため、本発明による補聴器用収納ケースは、次のような特徴的な構成を採用している。
【００１０】
（１）蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記送風手段に電源を供給する電源手段と、
を備えて成る補聴器用収納ケース。
（２）蓋部材と、この蓋部材と結合する本体部材から成り、内部に載置された乾燥剤により補聴器に内蔵される電子回路の湿気を除去する補聴器用収納ケースにおいて、
前記蓋部材の中央より端部側に設けられた凹部内に設置された送風手段と、
前記送風手段に電源を供給する電源手段と、
を備えて成る補聴器用収納ケース。
（３）蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部内の斜め斜面に設置された送風手段と、
前記送風手段に電源を供給する電源手段と、
を備えて成る補聴器用収納ケース。
（４）蓋部材と、この蓋部材と結合する本体部材から成り、内部に載置された乾燥剤により補聴器に内蔵される電子回路の湿気を除去する補聴器用収納ケースにおいて、
前記本体部材内に載置された乾燥剤の下部に設置された送風手段と、
前記送風手段に電源を供給する電源手段と、
を備えて成る補聴器用収納ケース。
（５）蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記補聴器用収納ケース内部に設けられた紫外線発生手段と、
前記送風手段と紫外線発生手段に電源を供給する電源手段と、
を備えて成る補聴器用収納ケース。
（６）蓋部材と、この蓋部材と結合する本体部材から成り、内部に載置された乾燥剤により補聴器に内蔵される電子回路の湿気を除去する補聴器用収納ケースにおいて、
前記蓋部材に設けられた凹部に設置された送風手段と、
前記補聴器用収納ケース内部に設けられた加温手段と、
前記送風手段と加温手段に電源を供給する電源手段と、
を備えて成る補聴器用収納ケース。
（７）前記電源手段はバッテリである上記（１）乃至（６）のいずれかの補聴器用収納ケース。
（８）前記電源手段は商用電源からの電源である上記（１）乃至（６）のいずれかの補聴器用収納ケース。
（９）前記電源を前記送風手段に供給する時間を予め設定された時間だけに限定するタイマ手段を備える上記（１）乃至（８）のいずれかの補聴器用収納ケース。
（１０）前記送風手段は、プロペラである上記（１）乃至（９）のいずれかの補聴器用収納ケース。
【発明の効果】
【００１１】
本発明の補聴器用収納ケースによれば、補聴器を短時間に乾燥状態にすることが可能となり、補聴器内蔵の電子回路（半導体集積回路）の湿気による特性変化や故障を最大限防止することができる。
【実施例】
【００１２】
以下、本発明による補聴器用収納ケースの好適実施例の構成および動作を、添付図面を参照して説明する。
【００１３】
図１は、本発明による補聴器用収納ケースの好適実施例の全体構成を示す簡略化された断面図である。本実施例では、補聴器収納ケース１００は蓋部材１と本体部材２とから成り、蓋部材１は内周部に形成された雌ねじ（図示せず）が本体部材の外周部に形成された雄ねじ（図示せず）に螺合して両者が強固に結合される。この結合は密封性が高いほうが良く、ときにパッキンを用いることもできる。
【００１４】
本体部材２の下方には空気の流通を円滑にするための多数の貫通穴が形成された多孔板２１が区切壁として設けられている。多孔板２１の下方には乾燥剤としてのシリカゲルが載置されている。補聴器３は、多孔板２１の上に載置される。
【００１５】
蓋部材１の本体部材２側には凹部１０Ａが形成され、この凹部１０Ａに攪拌用のプロペラ１１が設けられている。また、蓋部材１には空間部１０Ｂが設けられ、この空間部１０Ｂにモータ１２、タイマ１３、電源部１４が設けられている。プロペラ１１はモータ１２に回転され、エア（空気）を下方に向かって送出（送風）する。モータ１２は、電源部１４からの電源で動作し、タイマ１３で設定された時間が経過するとモータ１２への電源供給が停止される。
【００１６】
以上のような構成において、蓋部材１を開けて本体部材２の多孔板２１の上に補聴器を載置して蓋部材１を閉めて、スイッチ（図示せず）をＯＮにすると、電源部１４からの電源がモータ１２に供給されてプロペラ１１が回転してエアを下方に向けて送風する。
【００１７】
本実施例では、図示のように、プロペラの回転に伴い、生じたエアは本体部材の円筒内壁に沿って動く。例えば、矢印Ａの方向のエアは左側から壁に沿って動き、多孔板２１の穴２１Ａを通って乾燥剤４に至り、更に乾燥剤を通って右方向に進み多孔板２１の穴２１Ａを通り壁に沿って上方向に移動する。逆に矢印Ｂ方向のエアは逆方向への移動をし、いわゆる循環、対流を発生させる。
【００１８】
本実施例では、タイマ１３を用いて設定時間を過ぎると、モータ１２への電源供給を停止して、過度な乾燥を防止するとともに電源部１４の電源消耗を最小限にするようにしている。
【００１９】
図２には本発明の他の実施例による補聴器用収納ケースの簡略化された断面図が示されている。
本実施例は図１に示す対流効果を促進させる構造を提案するもので、蓋部材１の凹部１０Ａを中央部ではなく一端部側に設け、そこにプロペラ１１を設ける。他の構成は図１に示す実施例と同様である。本実施例では、プロペラ１１からのエアの送風方向は図１のＢ方向であるが、その方向性はＢ方向に限定されるので、より効率的な循環、対流効果が得られ、乾燥効果も大きい。
【００２０】
図３は本発明の更に他の実施例による補聴器用収納ケースの簡略化された断面図である。
本実施例は図２と同様に対流効果を促進させる構造を提案するもので、図２における蓋部材１の凹部１０Ａの一端部側に設けたプロペラ１１取り付け部を斜面と（斜め壁部）としたものである。他の構成は図２に示す実施例と同様である。本実施例では、プロペラ１１からのエアの送風方向は、矢印で図示されているように斜め下方向になり、より効率的な循環、対流効果が得られ、乾燥効果も大きくなる。
【００２１】
図４は本発明の更に他の実施例による補聴器用収納ケースの簡略化された断面図である。
本実施例は、送風手段としてのプロペラ１１等を乾燥剤が載置される、多孔板２１と同様な多孔板２２の下方空間に設置するもので、補聴器用収納ケースの重心が下に下がるので安定性が増すという効果を奏する。
【００２２】
図５は本発明の他の実施例による補聴器用収納ケースの簡略化された断面図である。
本実施例は、紫外線発生装置５を補聴器用収納ケース１００内部に設けたもので、例えば、蓋部材１の底面側に紫外線発生装置（ランプ又はＬＥＤ）５を設けたものである。かかる実施例によれば、紫外線により補聴器３に付着した菌を殺菌することができ、清潔さを維持できる。
【００２３】
図６は本発明の他の実施例による補聴器用収納ケースの簡略化された断面図である。
本実施例は、加温気６を補聴器用収納ケース１００内部に設けたもので、例えば、蓋部材１の底面側に加温器６を設けたものである。かかる実施例によれば、加温器６による加温で内部の乾燥スピードを早くすることができる。
【００２４】
以上、本発明による補聴器用収納ケースの好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、電源部としては電池（バッテリ）を用いることもできるし、外部からのＡＣ電源とすることもできる。
【図面の簡単な説明】
【００２５】
【図１】本発明による補聴器用収納ケースの好適実施例の構成を示す簡略化された断面図である。
【図２】本発明の他の実施例による補聴器用収納ケースの簡略化された断面図である。
【図３】本発明の更に他の実施例による補聴器用収納ケースの簡略化された断面図である。
【図４】本発明の他の実施例による補聴器用収納ケースの簡略化された断面図である。
【図５】本発明の他の実施例による補聴器用収納ケースの簡略化された断面図である。
【図６】本発明の他の実施例による補聴器用収納ケースの簡略化された断面図である。
【符号の説明】
【００２６】
１００      補聴器収納ケース
１          蓋部材
２          本体部材
３          補聴器
４          本体部材
５          赤外線発生装置
６          加温器
１０Ａ      凹部
１０Ｂ      空間部
１１        プロペラ
１２        モータ
１３        タイマ
１４        電源部
２１、２２  多孔板
２１Ａ      孔
【図１】
2008172680.tif 000003
【図２】
2008172680.tif 000004
【図３】
2008172680.tif 000005
【図４】
2008172680.tif 000006
【図５】
2008172680.tif 000007
【図６】
2008172680.tif 000008